(57)【要約】【課題】本発明は金属イヤリング研磨装置を開示した。【解決手段】ベースを含み、前記ベースの上端には回転装置が連結され、前記回転装置の上端には支持装置が連結され、前記支持装置の上端には研磨装置が連結され、前記支持装置の左側にはブラシ装置が連結され、前記回転装置は前記ベースの上端に回転できるように設置された回転盤を含み、前記ベースの中にはモータが固定的に設置され、前記回転盤の下端がモータ軸により前記モータに動力が伝達できるように連結され、前記回転盤の中にはネジロッド溝が上方に開口したように設置され、本発明装置は異なるサイズのイヤリングの表面を研磨できるだけではなく、異なる精度の研磨をすることもでき、研磨の質を上げる上に、イヤリングに傷がつくことも避けられる。【選択図】図１
2020179137.tif 000002
【特許請求の範囲】
【請求項１】
正面視で、ベースを含み、前記ベースの上端には回転装置が連結され、前記回転装置の上端には支持装置が連結され、前記支持装置の上端には研磨装置が連結され、前記支持装置の左側にはブラシ装置が連結され、前記回転装置は前記ベースの上端に回転できるように設置された回転盤を含み、前記ベースの中にはモータが固定的に設置され、前記回転盤の下端がモータ軸により前記モータに動力が伝達できるように連結され、前記回転盤の中にはネジロッド溝が上方に開口したように設置され、前記ネジロッド溝の中には正ネジロッドが回転できるように設置され、前記正ネジロッドの左端が前記ネジロッド溝の内壁に回転できるように連結され、前記正ネジロッドの右端には逆ネジロッドが固定的に連結され、前記ネジロッド溝のうち前記逆ネジロッドに近接している側の内壁の中にはネジロッドチャンバが連通するように、且つ右方に開口したように設置され、前記逆ネジロッドが伸びて前記ネジロッドチャンバを貫通しており、且つ前記逆ネジロッドには下回転ブロックが固定的に連結され、前記ネジロッド溝の中には下スライダが左右対称的に、且つスライドできるように設置され、前記下スライダの中にはネジ山抜き孔が左右に貫通するように設置され、前記正ネジロッドと前記逆ネジロッドとがそれぞれ両側の前記ネジ山抜き孔を貫通しており、前記下スライダの中には下連結溝が左右に貫通するように、且つ上方に開口したように設置され、前記下連結溝の前後両側の内壁の間には下コンロッドが固定的に連結され、前記下コンロッドには支持ロッドが回転できるように連結され、前記支持ロッドの中には下コンロッド孔が前後に貫通するように設置され、前記下コンロッド  が前記下コンロッド孔を貫通しており、両側の前記下コンロッド孔の中にはヒンジ軸孔が向き合って開口したように設置され、両側の前記ヒンジ軸孔の間にはヒンジ軸が回転できるように連結され、前記支持ロッドの上端が前記支持装置に連結されていることを特徴とする金属イヤリング研磨装置。
【請求項２】
前記支持装置は前記回転盤の中に上方に開口したように設置された環状溝を含み、前記環状溝の中には支持主体がスライドできるように設置され、前記支持主体の中には支持チャンバが上下に貫通するように設置され、前記支持チャンバの中には支持ブロックがスライドできるように設置され、前記支持ブロックの中には下ガイドスライド溝が下方に開口したように設置され、前記下ガイドスライド溝の左右両側の内壁の間には下ガイドスライドロッドが固定的に連結され、前記下ガイドスライド溝の中には下ガイドスライドブロックが左右対称的に、且つスライドできるように設置され、前記下ガイドスライドブロックの中には下ガイドスライド孔が左右に貫通するように設置され、前記下ガイドスライドロッドが前記下ガイドスライド孔を貫通しており、前記下ガイドスライドブロックの中には上連結溝が左右に貫通するように、且つ下方に開口したように設置され、前記上連結溝の前後両側の内壁の間には上コンロッドが固定的に連結され、前記支持ロッドの上端が前記上コンロッドに回転できるように連結され、前記支持ロッドの中には上コンロッド孔が前後に貫通するように設置され、前記上コンロッドが前記上コンロッド孔を貫通しており、前記支持ブロックの中には上ガイドスライド溝が上方に開口したように設置され、前記上ガイドスライド溝の左右両側の内壁の間には上ガイドスライドロッドが固定的に連結され、前記上ガイドスライド溝の中には上ガイドスライドブロックが左右対称的に、且つスライドできるように設置され、前記上ガイドスライドブロックの中には上ガイドスライド孔が左右に貫通するように設置され、前記上ガイドスライドロッドが前記上ガイドスライド孔を貫通しており、前記上ガイドスライドブロックのうち対称中心から離れている一端と前記上ガイドスライド溝の左右両側の内壁との間にはガイドスライドバネが固定的に連結され、前記上ガイドスライドブロックの上端が前記研磨装置に連結されたことを特徴とする請求項１に記載の金属イヤリング研磨装置。
【請求項３】
前記研磨装置は前記支持主体の上端に移動できるように設置された蓋を含み、前記蓋の中には研磨チャンバが下方に開口したように設置され、前記上ガイドスライドブロックの上端には支持板が固定的に連結され、前記支持板の上端が前記研磨チャンバの中に伸びており、前記支持板のうち対称中心から離れている端面の中には内ブラシが固定的に設置され、前記支持板の中にはスプリングセットチャンバが向き合って開口したように設置され、前記スプリングセットチャンバのうち対称中心から離れている側の内壁の間には五つの復帰バネが配列されるように分布するように、且つ固定的に連結され、前記支持板のうち対称中心から離れている一端にはリミットブロックが固定的に連結され、前記リミットブロックの上端面の中にはセンサーが固定的に設置され、前記センサーの上端にはイヤリングが当接しており、前記イヤリングの中にはイヤリング孔が上下に貫通するように設置され、前記支持板が前記イヤリング孔を貫通しており、前記イヤリングの上端には手動軸が磁性により接続され、前記手動軸の上端が前記蓋を貫通しており、前記手動軸の中には補強孔が下方に開口したように設置され、前記支持板の上端が前記補強孔の中に伸びていることを特徴とする請求項２に記載の金属イヤリング研磨装置。
【請求項４】
前記ブラシ装置は、前記研磨チャンバの左側内壁の中に連通され、且つ左方に開口したように設置された抜き孔を含み、前記抜き孔の中にはカンチレバーネジロッドが回転できるように設置され、前記カンチレバーネジロッドの左端が外部空間に通じ、且つ前記カンチレバーネジロッドの左端には上回転ブロックが固定的に連結され、前記カンチレバーネジロッドの右端にはブラシブロックがスライドできるように設置され、前記ブラシブロックの中にはネジ穴が左方に開口したように設置され、前記カンチレバーネジロッドが前記ネジ穴にネジ山により連結され、前記ブラシブロックの中にはブラシチャンバが前後に貫通するように、且つ右方に開口したように設置され、前記ブラシチャンバの内壁にはブラシが固定的に設置され、前記イヤリングの左端が前記ブラシチャンバの中に伸びていることを特徴とする請求項１又は請求項２又は請求項３に記載の金属イヤリング研磨装置。
【発明の詳細な説明】
【技術分野】
【０００１】
本発明はアクセサリー分野を取り上げて、具体的には金属イヤリング研磨装置である。
【背景技術】
【０００２】
イヤリングは常用の装飾品であり、しかし、イヤリングをつけた後、イヤリングの表面がざらざらするようになり、まくれが出るのは常に発生し、この時にイヤリングをつけると肌を傷つける可能性があるので、イヤリングの表面、特に内表面を研磨する必要があり、そのため、イヤリングの表面を全面的に研磨できる金属イヤリング研磨装置を設計することが必要となり、本発明装置は異なるサイズのイヤリングの表面を研磨できるだけではなく、異なる精度の研磨をすることもでき、研磨の質を上げる上に、イヤリングに傷がつくことも避けられる。
【先行技術文献】
【特許文献】
【０００３】
【特許文献１】中国特許出願公開第108188870号明細書
【発明の概要】
【発明が解決しようとする課題】
【０００４】
本発明は金属イヤリング研磨装置を提供し、上記の現在技術における問題を解決することを目的とする。
【課題を解決するための手段】
【０００５】
本発明は以下の技術プランを通じて実現される：本発明の金属イヤリング研磨装置は、ベースを含み、前記ベースの上端には回転装置が連結され、前記回転装置の上端には支持装置が連結され、前記支持装置の上端には研磨装置が連結され、前記支持装置の左側にはブラシ装置が連結され、前記回転装置は前記ベースの上端に回転できるように設置された回転盤を含み、前記ベースの中にはモータが固定的に設置され、前記回転盤の下端がモータ軸により前記モータに動力が伝達できるように連結され、前記回転盤の中にはネジロッド溝が上方に開口したように設置され、前記ネジロッド溝の中には正ネジロッドが回転できるように設置され、前記正ネジロッドの左端が前記ネジロッド溝の内壁に回転できるように連結され、前記正ネジロッドの右端には逆ネジロッドが固定的に連結され、前記ネジロッド溝のうち前記逆ネジロッドに近接している側の内壁の中にはネジロッドチャンバが連通するように、且つ右方に開口したように設置され、前記逆ネジロッドが伸びて前記ネジロッドチャンバを貫通しており、且つ前記逆ネジロッドには下回転ブロックが固定的に連結され、前記ネジロッド溝の中には下スライダが左右対称的に、且つスライドできるように設置され、前記下スライダの中にはネジ山抜き孔が左右に貫通するように設置され、前記正ネジロッドと前記逆ネジロッドとがそれぞれ両側の前記ネジ山抜き孔を貫通しており、前記下スライダの中には下連結溝が左右に貫通するように、且つ上方に開口したように設置され、前記下連結溝の前後両側の内壁の間には下コンロッドが固定的に連結され、前記下コンロッドには支持ロッドが回転できるように連結され、前記支持ロッドの中には下コンロッド孔が前後に貫通するように設置され、前記下コンロッド  が前記下コンロッド孔を貫通しており、両側の前記下コンロッド孔の中にはヒンジ軸孔が向き合って開口したように設置され、両側の前記ヒンジ軸孔の間にはヒンジ軸が回転できるように連結され、前記支持ロッドの上端が前記支持装置に連結されている。
【０００６】
更の技術プランとしては、前記支持装置は前記回転盤の中に上方に開口したように設置された環状溝を含み、前記環状溝の中には支持主体がスライドできるように設置され、前記支持主体の中には支持チャンバが上下に貫通するように設置され、前記支持チャンバの中には支持ブロックがスライドできるように設置され、前記支持ブロックの中には下ガイドスライド溝が下方に開口したように設置され、前記下ガイドスライド溝の左右両側の内壁の間には下ガイドスライドロッドが固定的に連結され、前記下ガイドスライド溝の中には下ガイドスライドブロックが左右対称的に、且つスライドできるように設置され、前記下ガイドスライドブロックの中には下ガイドスライド孔が左右に貫通するように設置され、前記下ガイドスライドロッドが前記下ガイドスライド孔を貫通しており、前記下ガイドスライドブロックの中には上連結溝が左右に貫通するように、且つ下方に開口したように設置され、前記上連結溝の前後両側の内壁の間には上コンロッドが固定的に連結され、前記支持ロッドの上端が前記上コンロッドに回転できるように連結され、前記支持ロッドの中には上コンロッド孔が前後に貫通するように設置され、前記上コンロッドが前記上コンロッド孔を貫通しており、前記支持ブロックの中には上ガイドスライド溝が上方に開口したように設置され、前記上ガイドスライド溝の左右両側の内壁の間には上ガイドスライドロッドが固定的に連結され、前記上ガイドスライド溝の中には上ガイドスライドブロックが左右対称的に、且つスライドできるように設置され、前記上ガイドスライドブロックの中には上ガイドスライド孔が左右に貫通するように設置され、前記上ガイドスライドロッドが前記上ガイドスライド孔を貫通しており、前記上ガイドスライドブロックのうち対称中心から離れている一端と前記上ガイドスライド溝の左右両側の内壁との間にはガイドスライドバネが固定的に連結され、前記上ガイドスライドブロックの上端が前記研磨装置に連結された。
【０００７】
更の技術プランとしては、前記研磨装置は前記支持主体の上端に移動できるように設置された蓋を含み、前記蓋の中には研磨チャンバが下方に開口したように設置され、前記上ガイドスライドブロックの上端には支持板が固定的に連結され、前記支持板の上端が前記研磨チャンバの中に伸びており、前記支持板のうち対称中心から離れている端面の中には内ブラシが固定的に設置され、前記支持板の中にはスプリングセットチャンバが向き合って開口したように設置され、前記スプリングセットチャンバのうち対称中心から離れている側の内壁の間には五つの復帰バネが配列されるように分布するように、且つ固定的に連結され、前記支持板のうち対称中心から離れている一端にはリミットブロックが固定的に連結され、前記リミットブロックの上端面の中にはセンサーが固定的に設置され、前記センサーの上端にはイヤリングが当接しており、前記イヤリングの中にはイヤリング孔が上下に貫通するように設置され、前記支持板が前記イヤリング孔を貫通しており、前記イヤリングの上端には手動軸が磁性により接続され、前記手動軸の上端が前記蓋を貫通しており、前記手動軸の中には補強孔が下方に開口したように設置され、前記支持板の上端が前記補強孔の中に伸びている。
【０００８】
更の技術プランとしては、前記ブラシ装置は、前記研磨チャンバの左側内壁の中に連通され、且つ左方に開口したように設置された抜き孔を含み、前記抜き孔の中にはカンチレバーネジロッドが回転できるように設置され、前記カンチレバーネジロッドの左端が外部空間に通じ、且つ前記カンチレバーネジロッドの左端には上回転ブロックが固定的に連結され、前記カンチレバーネジロッドの右端にはブラシブロックがスライドできるように設置され、前記ブラシブロックの中にはネジ穴が左方に開口したように設置され、前記カンチレバーネジロッドが前記ネジ穴にネジ山により連結され、前記ブラシブロックの中にはブラシチャンバが前後に貫通するように、且つ右方に開口したように設置され、前記ブラシチャンバの内壁にはブラシが固定的に設置され、前記イヤリングの左端が前記ブラシチャンバの中に伸びている。
【発明の効果】
【０００９】
本発明の有益効果は：本発明は構成が簡単で、操作が便利で、イヤリングを研磨する時、まずイヤリングを固定してきつく挟み、モータを始動した後で大きいばりの研磨をし、そして手動で遅いスピードで高い精度の研磨をし、イヤリングに傷がつくことを避け、本発明装置は異なるサイズのイヤリングの表面を研磨できるだけではなく、異なる精度の研磨をすることもでき、研磨の質を上げる上に、イヤリングに傷がつくことも避けられる。
【図面の簡単な説明】
【００１０】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の金属イヤリング研磨装置の内部構成模式図
【図２】図２は図１の「Ａ」の拡大模式図
【図３】図３は図１の「Ｂ」の拡大模式図
【図４】図４は図２の「Ｃ−Ｃ」方向の構成模式図
【図５】図５は図３の「Ｄ−Ｄ」方向の構成模式図
【発明を実施するための形態】
【００１２】
図１〜５を参照し、本発明の実施例の金属イヤリング研磨装置は、ベース１１を含み、前記ベース１１の上端には回転装置１００が連結され、前記回転装置１００の上端には支持装置１０１が連結され、前記支持装置１０１の上端には研磨装置１０２が連結され、前記支持装置１０１の左側にはブラシ装置１０３が連結され、前記回転装置１００は前記ベース１１の上端に回転できるように設置された回転盤１４を含み、前記ベース１１の中にはモータ１２が固定的に設置され、前記回転盤１４の下端がモータ軸１３により前記モータ１２に動力が伝達できるように連結され、前記回転盤１４の中にはネジロッド溝１５が上方に開口したように設置され、前記ネジロッド溝１５の中には正ネジロッド１６が回転できるように設置され、前記正ネジロッド１６の左端が前記ネジロッド溝１５の内壁に回転できるように連結され、前記正ネジロッド１６の右端には逆ネジロッド１７が固定的に連結され、前記ネジロッド溝１５のうち前記逆ネジロッド１７に近接している側の内壁の中にはネジロッドチャンバ１８が連通するように、且つ右方に開口したように設置され、前記逆ネジロッド１７が伸びて前記ネジロッドチャンバ１８を貫通しており、且つ前記逆ネジロッド１７には下回転ブロック１９が固定的に連結され、前記ネジロッド溝１５の中には下スライダ４９が左右対称的に、且つスライドできるように設置され、前記下スライダ４９の中にはネジ山抜き孔５０が左右に貫通するように設置され、前記正ネジロッド１６と前記逆ネジロッド１７とがそれぞれ両側の前記ネジ山抜き孔５０を貫通しており、前記下スライダ４９の中には下連結溝５１が左右に貫通するように、且つ上方に開口したように設置され、前記下連結溝５１の前後両側の内壁の間には下コンロッド５３が固定的に連結され、前記下コンロッド５３には支持ロッド２５が回転できるように連結され、前記支持ロッド２５の中には下コンロッド孔５２が前後に貫通するように設置され、前記下コンロッド５３  が前記下コンロッド孔５２を貫通しており、両側の前記下コンロッド孔５２の中にはヒンジ軸孔４８が向き合って開口したように設置され、両側の前記ヒンジ軸孔４８の間にはヒンジ軸４７が回転できるように連結され、前記支持ロッド２５の上端が前記支持装置１０１に連結されている。
【００１３】
有益的には、前記支持装置１０１は前記回転盤１４の中に上方に開口したように設置された環状溝２０を含み、前記環状溝２０の中には支持主体２１がスライドできるように設置され、前記支持主体２１の中には支持チャンバ２２が上下に貫通するように設置され、前記支持チャンバ２２の中には支持ブロック２３がスライドできるように設置され、前記支持ブロック２３の中には下ガイドスライド溝２４が下方に開口したように設置され、前記下ガイドスライド溝２４の左右両側の内壁の間には下ガイドスライドロッド４１が固定的に連結され、前記下ガイドスライド溝２４の中には下ガイドスライドブロック４２が左右対称的に、且つスライドできるように設置され、前記下ガイドスライドブロック４２の中には下ガイドスライド孔４３が左右に貫通するように設置され、前記下ガイドスライドロッド４１が前記下ガイドスライド孔４３を貫通しており、前記下ガイドスライドブロック４２の中には上連結溝４４が左右に貫通するように、且つ下方に開口したように設置され、前記上連結溝４４の前後両側の内壁の間には上コンロッド４５が固定的に連結され、前記支持ロッド２５の上端が前記上コンロッド４５に回転できるように連結され、前記支持ロッド２５の中には上コンロッド孔４６が前後に貫通するように設置され、前記上コンロッド４５が前記上コンロッド孔４６を貫通しており、前記支持ブロック２３の中には上ガイドスライド溝２６が上方に開口したように設置され、前記上ガイドスライド溝２６の左右両側の内壁の間には上ガイドスライドロッド２９が固定的に連結され、前記上ガイドスライド溝２６の中には上ガイドスライドブロック２７が左右対称的に、且つスライドできるように設置され、前記上ガイドスライドブロック２７の中には上ガイドスライド孔２８が左右に貫通するように設置され、前記上ガイドスライドロッド２９が前記上ガイドスライド孔２８を貫通しており、前記上ガイドスライドブロック２７のうち対称中心から離れている一端と前記上ガイドスライド溝２６の左右両側の内壁との間にはガイドスライドバネ３０が固定的に連結され、前記上ガイドスライドブロック２７の上端が前記研磨装置１０２に連結された。
【００１４】
有益的には、前記研磨装置１０２は前記支持主体２１の上端に移動できるように設置された蓋３３を含み、前記蓋３３の中には研磨チャンバ３４が下方に開口したように設置され、前記上ガイドスライドブロック２７の上端には支持板３１が固定的に連結され、前記支持板３１の上端が前記研磨チャンバ３４の中に伸びており、前記支持板３１のうち対称中心から離れている端面の中には内ブラシ５９が固定的に設置され、前記支持板３１の中にはスプリングセットチャンバ３２が向き合って開口したように設置され、前記スプリングセットチャンバ３２のうち対称中心から離れている側の内壁の間には五つの復帰バネ５８が配列されるように分布するように、且つ固定的に連結され、前記支持板３１のうち対称中心から離れている一端にはリミットブロック５６が固定的に連結され、前記リミットブロック５６の上端面の中にはセンサー５７が固定的に設置され、前記センサー５７の上端にはイヤリング６０が当接しており、前記イヤリング６０の中にはイヤリング孔６１が上下に貫通するように設置され、前記支持板３１が前記イヤリング孔６１を貫通しており、前記イヤリング６０の上端には手動軸３９が磁性により接続され、前記手動軸３９の上端が前記蓋３３を貫通しており、前記手動軸３９の中には補強孔４０が下方に開口したように設置され、前記支持板３１の上端が前記補強孔４０の中に伸びている。
【００１５】
有益的には、前記ブラシ装置１０３は、前記研磨チャンバ３４の左側内壁の中に連通され、且つ左方に開口したように設置された抜き孔３７を含み、前記抜き孔３７の中にはカンチレバーネジロッド３６が回転できるように設置され、前記カンチレバーネジロッド３６の左端が外部空間に通じ、且つ前記カンチレバーネジロッド３６の左端には上回転ブロック３５が固定的に連結され、前記カンチレバーネジロッド３６の右端にはブラシブロック５４がスライドできるように設置され、前記ブラシブロック５４の中にはネジ穴３８が左方に開口したように設置され、前記カンチレバーネジロッド３６が前記ネジ穴３８にネジ山により連結され、前記ブラシブロック５４の中にはブラシチャンバ６２が前後に貫通するように、且つ右方に開口したように設置され、前記ブラシチャンバ６２の内壁にはブラシ５５が固定的に設置され、前記イヤリング６０の左端が前記ブラシチャンバ６２の中に伸びている。
【００１６】
イヤリングを研磨する時、前記イヤリング６０を前記支持板３１にはめ、且つ前記センサー５７と当接させ、前記蓋３３を閉め、前記支持板３１が前記補強孔４０の中に伸び、この時、前記手動軸３９と前記イヤリング６０とが磁性により接続され、前記上回転ブロック３５を回転させ、更に前記ブラシブロック５４を連動させて回転させ、更にこれにより前記イヤリング６０の片側が前記ブラシチャンバ６２の中に入り、且つ前記ブラシ５５と当接し、この時、前記下回転ブロック１９を回転させ、更に前記正ネジロッド１６と前記逆ネジロッド１７とを連動させて回転させ、更に前記下スライダ４９を連動させて互いに近づかせ、更に前記支持ロッド２５を連動させて前記ヒンジ軸４７を回って回転させ、更に前記下ガイドスライドブロック４２を連動させて互いに近づかせるようにスライドさせ、且つ前記支持ブロック２３を推し動かして上方へスライドさせ、更に前記支持板３１と前記リミットブロック５６とを連動させて上方へスライドさせ、前記センサー５７と前記イヤリング６０との間圧力が予め設定された圧力まで達した時、前記下回転ブロック１９を回転させることを停止し、前記イヤリング孔６１にあるまくれが多い時、前記モータ１２を始動し、更に前記モータ軸１３と前記回転盤１４とにより前記支持装置１０１を連動させて回転させ、更に前記支持板３１を連動させて回転させ、更に前記内ブラシ５９により前記イヤリング孔６１の内壁を研磨し、前記イヤリング孔６１にあるまくれが少ない時、前記モータ１２を停止し、前記手動軸３９を遅いスピードで回転させ、更に前記イヤリング６０を連動させて回転させ、前記ブラシ５５と前記内ブラシ５９とにより前記イヤリング６０の内壁と外壁とを同時に研磨し、前記イヤリング６０に傷がつくことを避け、異なる前記イヤリング６０の前記イヤリング孔６１の大きさが違うため、前記上ガイドスライドブロック２７をスライドさせることにより前記支持板３１の間の距離を変えられる。
【００１７】
本発明の有益効果は：本発明は構成が簡単で、操作が便利で、イヤリングを研磨する時、まずイヤリングを固定してきつく挟み、モータを始動した後で大きいばりの研磨をし、そして手動で遅いスピードで高い精度の研磨をし、イヤリングに傷がつくことを避け、本発明装置は異なるサイズのイヤリングの表面を研磨できるだけではなく、異なる精度の研磨をすることもでき、研磨の質を上げる上に、イヤリングに傷がつくことも避けられる。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179137.tif 000003
【図２】
2020179137.tif 000004
【図３】
2020179137.tif 000005
【図４】
2020179137.tif 000006
【図５】
2020179137.tif 000007
【手続補正書】
【提出日】令和1年12月11日(2019.12.11)
【手続補正１】
【補正対象書類名】特許請求の範囲
【補正対象項目名】全文
【補正方法】変更
【補正の内容】
【特許請求の範囲】
【請求項１】
正面視で、ベースを含み、前記ベースの上端には回転装置が連結され、前記回転装置の上端には支持装置が連結され、前記支持装置の上端には研磨装置が連結され、前記支持装置の左側にはブラシ装置が連結され、前記回転装置は前記ベースの上端に回転できるように設置された回転盤を含み、前記ベースの中にはモータが固定的に設置され、前記回転盤の下端がモータ軸により前記モータに動力が伝達できるように連結され、前記回転盤の中にはネジロッド溝が上方に開口したように設置され、前記ネジロッド溝の中には正ネジロッドが回転できるように設置され、前記正ネジロッドの左端が前記ネジロッド溝の内壁に回転できるように連結され、前記正ネジロッドの右端には逆ネジロッドが固定的に連結され、前記ネジロッド溝のうち前記逆ネジロッドに近接している側の内壁の中にはネジロッドチャンバが連通するように、且つ右方に開口したように設置され、前記逆ネジロッドが伸びて前記ネジロッドチャンバを貫通しており、且つ前記逆ネジロッドには下回転ブロックが固定的に連結され、前記ネジロッド溝の中には下スライダが左右対称的に、且つスライドできるように設置され、前記下スライダの中にはネジ山抜き孔が左右に貫通するように設置され、前記正ネジロッドと前記逆ネジロッドとがそれぞれ両側の前記ネジ山抜き孔を貫通しており、前記下スライダの中には下連結溝が左右に貫通するように、且つ上方に開口したように設置され、前記下連結溝の前後両側の内壁の間には下コンロッドが固定的に連結され、前記下コンロッドには支持ロッドが回転できるように連結され、前記支持ロッドの中には下コンロッド孔が前後に貫通するように設置され、前記下コンロッドが前記下コンロッド孔を貫通しており、両側の前記下コンロッド孔の中にはヒンジ軸孔が向き合って開口したように設置され、両側の前記ヒンジ軸孔の間にはヒンジ軸が回転できるように連結され、前記支持ロッドの上端が前記支持装置に連結され、
前記支持装置は前記回転盤の中に上方に開口したように設置された環状溝を含み、前記環状溝の中には支持主体がスライドできるように設置され、前記支持主体の中には支持チャンバが上下に貫通するように設置され、前記支持チャンバの中には支持ブロックがスライドできるように設置され、前記支持ブロックの中には下ガイドスライド溝が下方に開口したように設置され、前記下ガイドスライド溝の左右両側の内壁の間には下ガイドスライドロッドが固定的に連結され、前記下ガイドスライド溝の中には下ガイドスライドブロックが左右対称的に、且つスライドできるように設置され、前記下ガイドスライドブロックの中には下ガイドスライド孔が左右に貫通するように設置され、前記下ガイドスライドロッドが前記下ガイドスライド孔を貫通しており、前記下ガイドスライドブロックの中には上連結溝が左右に貫通するように、且つ下方に開口したように設置され、前記上連結溝の前後両側の内壁の間には上コンロッドが固定的に連結され、前記支持ロッドの上端が前記上コンロッドに回転できるように連結され、前記支持ロッドの中には上コンロッド孔が前後に貫通するように設置され、前記上コンロッドが前記上コンロッド孔を貫通しており、前記支持ブロックの中には上ガイドスライド溝が上方に開口したように設置され、前記上ガイドスライド溝の左右両側の内壁の間には上ガイドスライドロッドが固定的に連結され、前記上ガイドスライド溝の中には上ガイドスライドブロックが左右対称的に、且つスライドできるように設置され、前記上ガイドスライドブロックの中には上ガイドスライド孔が左右に貫通するように設置され、前記上ガイドスライドロッドが前記上ガイドスライド孔を貫通しており、前記上ガイドスライドブロックのうち対称中心から離れている一端と前記上ガイドスライド溝の左右両側の内壁との間にはガイドスライドバネが固定的に連結され、前記上ガイドスライドブロックの上端が前記研磨装置に連結され、
前記研磨装置は前記支持主体の上端に移動できるように設置された蓋を含み、前記蓋の中には研磨チャンバが下方に開口したように設置され、前記上ガイドスライドブロックの上端には支持板が固定的に連結され、前記支持板の上端が前記研磨チャンバの中に伸びており、前記支持板のうち対称中心から離れている端面の中には内ブラシが固定的に設置され、前記支持板の中にはスプリングセットチャンバが向き合って開口したように設置され、前記スプリングセットチャンバのうち対称中心から離れている側の内壁の間には五つの復帰バネが配列されるように分布するように、且つ固定的に連結され、前記支持板のうち対称中心から離れている一端にはリミットブロックが固定的に連結され、前記リミットブロックの上端面の中にはセンサーが固定的に設置され、前記センサーの上端にはイヤリングが当接しており、前記センサーと前記イヤリングとの間の圧力が予めに設定された圧力値に達するとき、前記下回転ブロックを回転させることを停止し、
前記イヤリングの中にはイヤリング孔が上下に貫通するように設置され、前記支持板が前記イヤリング孔を貫通しており、前記イヤリングの上端には手動軸が磁性により接続され、前記手動軸の上端が前記蓋を貫通しており、前記手動軸の中には補強孔が下方に開口したように設置され、前記支持板の上端が前記補強孔の中に伸びており、前記イヤリング孔にあるまくれが少ない時、前記モータを停止し、前記手動軸を遅いスピードで回転させ、そして前記イヤリングは駆動されて回転し、
前記ブラシ装置は、前記研磨チャンバの左側内壁の中に連通され、且つ左方に開口したように設置された抜き孔を含み、前記抜き孔の中にはカンチレバーネジロッドが回転できるように設置され、前記カンチレバーネジロッドの左端が外部空間に通じ、且つ前記カンチレバーネジロッドの左端には上回転ブロックが固定的に連結され、前記カンチレバーネジロッドの右端にはブラシブロックがスライドできるように設置され、前記ブラシブロックの中にはネジ穴が左方に開口したように設置され、前記カンチレバーネジロッドが前記ネジ穴にネジ山により連結され、前記ブラシブロックの中にはブラシチャンバが前後に貫通するように、且つ右方に開口したように設置され、前記ブラシチャンバの内壁にはブラシが固定的に設置され、前記イヤリングの左端が前記ブラシチャンバの中に伸びていることを特徴とする金属イヤリング研磨装置。
【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
正面視で、ベースを含み、前記ベースの上端には回転装置が連結され、前記回転装置の上端には支持装置が連結され、前記支持装置の上端には研磨装置が連結され、前記支持装置の左側にはブラシ装置が連結され、前記回転装置は前記ベースの上端に回転できるように設置された回転盤を含み、前記ベースの中にはモータが固定的に設置され、前記回転盤の下端がモータ軸により前記モータに動力が伝達できるように連結され、前記回転盤の中にはネジロッド溝が上方に開口したように設置され、前記ネジロッド溝の中には正ネジロッドが回転できるように設置され、前記正ネジロッドの左端が前記ネジロッド溝の内壁に回転できるように連結され、前記正ネジロッドの右端には逆ネジロッドが固定的に連結され、前記ネジロッド溝のうち前記逆ネジロッドに近接している側の内壁の中にはネジロッドチャンバが連通するように、且つ右方に開口したように設置され、前記逆ネジロッドが伸びて前記ネジロッドチャンバを貫通しており、且つ前記逆ネジロッドには下回転ブロックが固定的に連結され、前記ネジロッド溝の中には下スライダが左右対称的に、且つスライドできるように設置され、前記下スライダの中にはネジ山抜き孔が左右に貫通するように設置され、前記正ネジロッドと前記逆ネジロッドとがそれぞれ両側の前記ネジ山抜き孔を貫通しており、前記下スライダの中には下連結溝が左右に貫通するように、且つ上方に開口したように設置され、前記下連結溝の前後両側の内壁の間には下コンロッドが固定的に連結され、前記下コンロッドには支持ロッドが回転できるように連結され、前記支持ロッドの中には下コンロッド孔が前後に貫通するように設置され、前記下コンロッドが前記下コンロッド孔を貫通しており、両側の前記下コンロッド孔の中にはヒンジ軸孔が向き合って開口したように設置され、両側の前記ヒンジ軸孔の間にはヒンジ軸が回転できるように連結され、前記支持ロッドの上端が前記支持装置に連結され、
前記支持装置は前記回転盤の中に上方に開口したように設置された環状溝を含み、前記環状溝の中には支持主体がスライドできるように設置され、前記支持主体の中には支持チャンバが上下に貫通するように設置され、前記支持チャンバの中には支持ブロックがスライドできるように設置され、前記支持ブロックの中には下ガイドスライド溝が下方に開口したように設置され、前記下ガイドスライド溝の左右両側の内壁の間には下ガイドスライドロッドが固定的に連結され、前記下ガイドスライド溝の中には下ガイドスライドブロックが左右対称的に、且つスライドできるように設置され、前記下ガイドスライドブロックの中には下ガイドスライド孔が左右に貫通するように設置され、前記下ガイドスライドロッドが前記下ガイドスライド孔を貫通しており、前記下ガイドスライドブロックの中には上連結溝が左右に貫通するように、且つ下方に開口したように設置され、前記上連結溝の前後両側の内壁の間には上コンロッドが固定的に連結され、前記支持ロッドの上端が前記上コンロッドに回転できるように連結され、前記支持ロッドの中には上コンロッド孔が前後に貫通するように設置され、前記上コンロッドが前記上コンロッド孔を貫通しており、前記支持ブロックの中には上ガイドスライド溝が上方に開口したように設置され、前記上ガイドスライド溝の左右両側の内壁の間には上ガイドスライドロッドが固定的に連結され、前記上ガイドスライド溝の中には上ガイドスライドブロックが左右対称的に、且つスライドできるように設置され、前記上ガイドスライドブロックの中には上ガイドスライド孔が左右に貫通するように設置され、前記上ガイドスライドロッドが前記上ガイドスライド孔を貫通しており、前記上ガイドスライドブロックのうち対称中心から離れている一端と前記上ガイドスライド溝の左右両側の内壁との間にはガイドスライドバネが固定的に連結され、前記上ガイドスライドブロックの上端が前記研磨装置に連結され、
前記研磨装置は前記支持主体の上端に移動できるように設置された蓋を含み、前記蓋の中には研磨チャンバが下方に開口したように設置され、前記上ガイドスライドブロックの上端には支持板が固定的に連結され、前記支持板の上端が前記研磨チャンバの中に伸びており、前記支持板のうち対称中心から離れている端面の中には内ブラシが固定的に設置され、前記支持板の中にはスプリングセットチャンバが向き合って開口したように設置され、前記スプリングセットチャンバのうち対称中心から離れている側の内壁の間には五つの復帰バネが配列されるように分布するように、且つ固定的に連結され、前記支持板のうち対称中心から離れている一端にはリミットブロックが固定的に連結され、前記リミットブロックの上端面の中にはセンサーが固定的に設置され、前記センサーの上端にはイヤリングが当接しており、前記センサーと前記イヤリングとの間の圧力が予めに設定された圧力値に達するとき、前記下回転ブロックを回転させることを停止し、
前記イヤリングの中にはイヤリング孔が上下に貫通するように設置され、前記支持板が前記イヤリング孔を貫通しており、前記イヤリングの上端には手動軸が磁性により接続され、前記手動軸の上端が前記蓋を貫通しており、前記手動軸の中には補強孔が下方に開口したように設置され、前記支持板の上端が前記補強孔の中に伸びており、前記イヤリング孔にあるまくれが少ない時、前記モータを停止し、前記手動軸を遅いスピードで回転させ、そして前記イヤリングは駆動されて回転し、
前記ブラシ装置は、前記研磨チャンバの左側内壁の中に連通され、且つ左方に開口したように設置された抜き孔を含み、前記抜き孔の中にはカンチレバーネジロッドが回転できるように設置され、前記カンチレバーネジロッドの左端が外部空間に通じ、且つ前記カンチレバーネジロッドの左端には上回転ブロックが固定的に連結され、前記カンチレバーネジロッドの右端にはブラシブロックがスライドできるように設置され、前記ブラシブロックの中にはネジ穴が左方に開口したように設置され、前記カンチレバーネジロッドが前記ネジ穴にネジ山により連結され、前記ブラシブロックの中にはブラシチャンバが前後に貫通するように、且つ右方に開口したように設置され、前記ブラシチャンバの内壁にはブラシが固定的に設置され、前記イヤリングの左端が前記ブラシチャンバの中に伸びており、
イヤリングを研磨する時、前記イヤリングを前記支持板にはめ、且つ前記センサーと当接させることを特徴とする金属イヤリング研磨装置。